(57)【要約】【課題】キャップ部品に関して、取付が容易で、かつ、脱落しにくい携帯電子機器を提供する。【解決手段】携帯電話機１は、筐体３への着脱によりコネクタ用開口部２９を開閉するキャップ１７、及び、キャップ１７から延びて差込用開口部３３に差し込まれており、コネクタ用開口部２９の開状態において筐体３に係止されてキャップ１７の筐体３からの離脱を阻止する差込部１９を有するキャップ部品１５を有し、差込部１９は、差込用開口部３３の幅Ｌｄよりも狭い所定の幅Ｌａで延び、キャップ１７の着脱に伴って差込用開口部３３を移動する第１部分１９ａと、第１部分１９ａよりも先端側に形成され、差込用開口部３３の幅Ｌｄよりも大きい幅Ｌｃを有し、コネクタ用開口部２９の開状態において差込用開口部３３の縁部に係合可能な第２部分１９ｂとを有し、第１部分１９ａには、幅Ｌａよりも幅が狭い部分が形成されるように第１切り欠き部１９ｃが形成されている。【選択図】図６
2009289591.tif 000002
【特許請求の範囲】
【請求項１】
第１開口部及び第２開口部が形成された筐体と、
前記筐体への着脱により前記第１開口部を開閉するキャップ、及び、前記キャップから延びて前記第２開口部に差し込まれており、前記第１開口部の開状態において前記筐体に係止されて前記キャップの前記筐体からの離脱を阻止する差込部を有するキャップ部品と、
を有し、
前記差込部は、
前記第２開口部の幅よりも狭い所定の幅で延び、前記キャップの着脱に伴って前記第２開口部を差込方向及び引抜方向に移動する第１部分と、
前記第１部分よりも先端側に形成され、前記第２開口部の幅よりも大きい幅を有し、前記第１開口部の開状態において前記第２開口部の縁部に係合可能な第２部分と、
を有し、
前記第１部分には、前記所定の幅よりも幅が狭い部分が形成されるように第１切り欠き部が形成されている
携帯電子機器。
【請求項２】
前記第１切り欠き部は、前記第２開口部の縁部を受け入れ可能な大きさの切り欠き部である
請求項１に記載の携帯電子機器。
【請求項３】
前記第２部分の幅と前記第２開口部の幅との差は、前記第２開口部の幅と前記所定の幅との差よりも大きく、
前記第１切り欠き部は、前記第２部分が前記第２開口部の縁部に係合したときに前記第２開口部の縁部に対して前記キャップ側となる位置、且つ、前記キャップが前記筐体に取り付けられて前記第１開口部が閉状態となったときに前記第２開口部の縁部に対して前記第２部分側となる位置に設けられている
請求項２に記載の携帯電子機器。
【請求項４】
前記筐体内部には、
前記第２部分が前記第２開口部の縁部に係合したときに前記第２部分を収容可能な収容部と、
前記収容部よりも前記筐体の内部側に形成され、前記第１切り欠き部に前記第２開口部の縁部が受け入れられている状態において前記第２部分を前記収容部による規制位置よりも幅方向外側へ移動可能に前記第２部分を受け入れ可能な凹部と、
が形成されている
請求項２又は３に記載の携帯電子機器。
【請求項５】
前記差込部は、当該差込部の差込方向及び幅方向に直交する方向に見て、前記差込方向に沿い、前記幅方向中央に位置する軸に対して線対称に形成されている
請求項１〜４のいずれか１項に記載の携帯電子機器。
【請求項６】
前記第２開口部の縁部には、前記筐体内側に突出する突出部が形成されており、
前記第２部分には、当該第２部分が前記第２開口部の縁部に係合しているときに、前記突出部が挿入される第２切り欠き部が形成されている
請求項５に記載の携帯電子機器。
【請求項７】
前記キャップは、前記差込部よりも剛性の高い部材により形成されるとともに、前記第１切り欠き部が前記第２開口部の縁部を受け入れた状態で、前記差込部が前記第１切り欠き部を支点として回転することにより前記第２部分の前記支点とは反対側の幅方向端部が前記第２開口部を通過するときに、前記差込部を捩らなければ前記筐体の前記第１開口部が形成された面に当接する大きさに形成されている
請求項２から４のいずれか１項に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
筐体に取り付けられたキャップ部品を有する携帯電子機器が知られている（例えば、特許文献１）。特許文献１の携帯電子機器では、筐体に、コネクタを外部に露出させるための開口部が形成されている。当該開口部は、キャップ部品の一部であるキャップが筐体に着脱されることにより開閉される。キャップ部品は、キャップから延びて筐体内に挿入される差込部を有している。差込部は、筐体に対して筐体内部側から外部側へ係合し、キャップの筐体からの離脱を阻止する。具体的には、差込部は、側方縁部に、当該側方縁部に沿って長い切り欠き部が形成され、切り欠き部には、筐体内部に形成された突部が挿入される。差込部は、突部が切り欠き部内を移動可能な範囲内で、筐体に対して抜き差し可能である。
【特許文献１】特開２００１−２１０９７２号公報
【発明の開示】
【発明が解決しようとする課題】
【０００３】
特許文献１の技術では、種々の不都合が生じることがある。例えば、特許文献１の技術では、側方縁部に切り欠き部を形成することにより、差込部の先端側に、筐体の突部に係合する幅広な部分を形成している。従って、差込部の根元側にも、差込部の先端側と同一の幅を有する部分が生じている。その結果、筐体には、差込部の根元側を収容する幅広な開口部が突部よりも外側に必要となる。これは、デザイン性、筐体の形状の簡素化によるコスト削減、塵等の侵入及び付着抑制等の観点から好ましくない。また、例えば、差込部の、突部間を差込方向及び引抜方向に移動する部分（両側の側方縁部の切り欠き部に挟まれた部分）は、突部間の距離と概ね同等の幅で差し込み方向に延びている。従って、差込部は差込方向及び引抜方向に対して傾斜した姿勢をとることが一切許されない。その結果、携帯電子機器の製造者においては、差込部を筐体に取り付けることが困難となる。
【０００４】
従って、従来のキャップ部品とは異なる構成及び効果を有する新たなキャップ部品が提供され、技術の豊富化が図られることが好ましい。
【０００５】
本発明の目的は、キャップ部品に関して、取付が容易で、かつ、脱落しにくい携帯電子機器を提供することにある。
【課題を解決するための手段】
【０００６】
本発明の携帯電子機器は、第１開口部及び第２開口部が形成された筐体と、前記筐体への着脱により前記第１開口部を開閉するキャップ、及び、前記キャップから延びて前記第２開口部に差し込まれており、前記第１開口部の開状態において前記筐体に係止されて前記キャップの前記筐体からの離脱を阻止する差込部を有するキャップ部品と、を有し、前記差込部は、前記第２開口部の幅よりも狭い所定の幅で延び、前記キャップの着脱に伴って前記第２開口部を差込方向及び引抜方向に移動する第１部分と、前記第１部分よりも先端側に形成され、前記第２開口部の幅よりも大きい幅を有し、前記第１開口部の開状態において前記第２開口部の縁部に係合可能な第２部分と、を有し、前記第１部分には、前記所定の幅よりも幅が狭い部分が形成されるように第１切り欠き部が形成されている。
【０００７】
好適には、前記第１切り欠き部は、前記第２開口部の縁部を受け入れ可能な大きさの切り欠き部である。
【０００８】
好適には、前記第２部分の幅と前記第２開口部の幅との差は、前記第２開口部の幅と前記所定の幅との差よりも大きく、前記第１切り欠き部は、前記第２部分が前記第２開口部の縁部に係合したときに前記第２開口部の縁部に対して前記キャップ側となる位置、且つ、前記キャップが前記筐体に取り付けられて前記第１開口部が閉状態となったときに前記第２開口部の縁部に対して前記第２部分側となる位置に設けられている。
【０００９】
好適には、前記筐体内部には、前記第２部分が前記第２開口部の縁部に係合したときに前記第２部分を収容可能な収容部と、前記収容部よりも前記筐体の内部側に形成され、前記第１切り欠き部に前記第２開口部の縁部が受け入れられている状態において前記第２部分を前記収容部による規制位置よりも幅方向外側へ移動可能に前記第２部分を受け入れ可能な凹部と、が形成されている。
【００１０】
好適には、前記差込部は、当該差込部の差込方向及び幅方向に直交する方向に見て、前記差込方向に沿い、前記幅方向中央に位置する軸に対して線対称に形成されている。
【００１１】
好適には、前記第２開口部の縁部には、前記筐体内側に突出する突出部が形成されており、前記第２部分には、当該第２部分が前記第２開口部の縁部に係合しているときに、前記突出部が挿入される第２切り欠き部が形成されている。
【００１２】
好適には、前記キャップは、前記差込部よりも剛性の高い部材により形成されるとともに、前記第１切り欠き部が前記第２開口部の縁部を受け入れた状態で、前記差込部が前記第１切り欠き部を支点として回転することにより前記第２部分の前記支点とは反対側の幅方向端部が前記第２開口部を通過するときに、前記差込部を捩らなければ前記筐体の前記第１開口部が形成された面に当接する大きさに形成されている。
【発明の効果】
【００１３】
本発明によれば、キャップ部品に関して、取付が容易で、かつ、脱落しにくい携帯電子機器を提供することができる。
【発明を実施するための最良の形態】
【００１４】
図１は、本発明の実施形態に係る携帯電話機１の斜視図である。
【００１５】
携帯電話機１は、いわゆるストレートタイプの携帯電話機により構成されており、一の筐体３を有している。筐体３は、例えば、薄型直方体状に形成されている。なお、以下では、筐体３の、厚み方向（図１の紙面上下方向）において互いに対向する部分を正面部３ａ及び背面部３ｂ、正面部３ａ及び背面部３ｂの側方の部分を側面部３ｃということがある。また、筐体３の長手方向の一方側（図１の紙面左上側）の端部を上端部３ｄ、他方側の端部を下端部３ｅということがある。
【００１６】
筐体３は、例えば、正面部３ａ側を構成するフロントケース５と、背面部３ｂを構成するリアケース７及びリッド９とを有している。フロントケース５、リアケース７及びリッド９は、例えば、それぞれ樹脂により構成されている。フロントケース５及びリアケース７は、例えば、不図示のネジにより互いに固定されている。フロントケース５及びリアケース７との間には、例えば、不図示の回路基板やシールドケースが挟持されている。リッド９は、例えば、不図示の係合部によりリアケース７に固定されている。リッド９は、不図示のバッテリーを筐体３内に挿脱するためのものである。
【００１７】
筐体３には、種々の電子部品等が設けられている。例えば、筐体３には、正面部３ａの上端部３ｄ側において開口する放音孔３ｇから音響を出力する不図示の通話用のスピーカ、正面部３ａの下端部３ｅ側において開口する収音孔３ｈから音響が入力される不図示の通話用のマイクロフォン、正面部３ａ側からユーザの操作を受け付ける操作部１１、正面部３ａ側に画像を表示する表示部１３が設けられている。
【００１８】
また、筐体３の側面部３ｃには、筐体３に対して着脱可能なキャップ１７が取り付けられている。なお、キャップ１７は、筐体３の一部として捉えられてもよいが、以下では、筐体３とは別部材であるものとして説明する。
【００１９】
図２は、キャップ１７を筐体３から取り外した状態で携帯電話機１のキャップ１７近傍を拡大して示す斜視図である。
【００２０】
キャップ１７が筐体３から取り外されると、筐体３からは、コネクタ２１が露出する。コネクタ２１は、例えば、不図示のイヤホンが接続されるコネクタ、又は、不図示の充電器やパソコン等の他の電子機器と携帯電話機１とを接続するケーブルが接続されるコネクタである。コネクタ２１は、筐体３の側面部３ｃに形成されたコネクタ用開口部２９から筐体３外部に露出している。
【００２１】
コネクタ２１は、例えば、コネクタ用開口部２９に嵌合する中空状の外郭部２３と、外郭部２３の内部に配置された板状の基部２５と、基部２５に設けられた複数の端子部２７とを有している。外郭部２３は、例えば、板金により形成されている。基部２５は、例えば、非導電性の樹脂により形成されており、外郭部２３に固定されている。複数の端子部２７は、例えば、金属の導電層により形成されている。
【００２２】
筐体３の側面部３ｃには、凹部３１が形成されている。凹部３１の底部には、コネクタ２１が露出するコネクタ用開口部２９が形成されている。キャップ１７は、凹部３１に嵌合されるとともに、係合部１７ｅが凹部３１の内周に形成された不図示の穴部に係合することにより、筐体３に対して取り付けられる。キャップ１７の凹部３１への着脱により、コネクタ用開口部２９は開閉され、また、コネクタ２１は被覆又は露出される。
【００２３】
キャップ１７は、例えば、概ね矩形状の板状に形成されている。また、キャップ１７は、例えば、硬質の樹脂、より詳細には、ＡＢＳ樹脂により、大部分が形成されている。なお、係合部１７ｅ等のキャップ１７の一部は、キャップ１７の大部分を構成する材料よりも剛性の低い材料、例えば、エラストマにより形成されていてもよい。
【００２４】
キャップ１７からは、キャップ１７の筐体３からの離脱を阻止するための差込部１９が延びている。なお、以下では、キャップ１７及び差込部１９により構成される部材をキャップ部品１５ということがある。差込部１９は、筐体３に挿入されている。
【００２５】
図３は、キャップ部品１５を筐体３から取り外して示す斜視図である。
【００２６】
差込部１９は、例えば、概ね板状に形成されている。なお、以下では、差込部１９のキャップ１７から延びる方向に直交する方向であって差込部１９の面に沿う方向を幅方向ということがある。差込部１９は、例えば、キャップ１７よりも剛性の低い樹脂、より詳細には、エラストマ等の可撓性を有する樹脂により形成されている。
【００２７】
凹部３１の底面には、コネクタ用開口部２９に隣接して差込用開口部３３が形成されている。差込部１９は、差込用開口部３３に差し込まれる。キャップ１７が筐体３の凹部３１に嵌合され、コネクタ２１が被覆されているときには、差込部１９は、差込用開口部３３の奥深くまで差し込まれて筐体３内に収容される。キャップ１７が筐体３の凹部３１から取り外され、コネクタ２１が露出されると、図２に示すように、差込部１９は、差込用開口部３３から引き出される。ただし、差込部１９の先端側部分は、筐体３に対して筐体３内部側から外部側へ係合し、差込部１９は、差込用開口部３３からは完全には引き抜かれない。これにより、キャップ１７の筐体３からの離脱が阻止される。また、差込部１９は、図２に示すように、差込部１９の厚み方向への曲げ変形を生じ、キャップ１７をコネクタ２１の正面から退避させることが可能である。
【００２８】
差込用開口部３３は、例えば、筐体３の長手方向（図３の紙面左右方向）を長手方向とするスリット状に形成されている。差込用開口部３３の短手方向の径（図３の紙面上下方向の径）は、例えば、差込部１９の厚さと同等である。差込部１９は、幅方向を差込用開口部３３の長手方向に一致させて差込用開口部３３に挿入されている。
【００２９】
差込用開口部３３は、コネクタ用開口部２９に繋がっている。すなわち、差込用開口部３３は、コネクタ用開口部２９と一の開口部を形成している。そして、コネクタ２１の外郭部２３がコネクタ用開口部２９に嵌合されることにより、差込用開口部３３は、コネクタ用開口部２９から仕切られている。なお、差込用開口部３３は、コネクタ用開口部２９と全く別個に筐体３に形成されていてもよい。
【００３０】
図４（ａ）は、キャップ部品１５を正面部３ａ側から見た図である。
【００３１】
差込部１９は、正面部３ａ側から見て、キャップ１７から差込部１９が延びる方向に沿う対称軸Ａｘに対して線対称になるように形成されている。なお、以下では、対称軸の側方において形成される一対の形状についての説明において、一方の形状についての符号や説明を省略することがある。
【００３２】
キャップ部品１５の差込部１９は、キャップ１７から延びる第１部分１９ａと、第１部分１９ａの先端側（キャップ１７とは反対側）に設けられ、第１部分１９ａよりも幅広な第２部分１９ｂとを有している。第１部分１９ａは、側方縁部に第１切り欠き部１９ｃが形成されており、幅が狭い部分が形成されている。また、第１部分１９ａは、第１切り欠き部１９ｃよりも根元側（キャップ１７側）の部分が、第１切り欠き部１９ｃよりも先端側の部分よりも若干幅広になっている。
【００３３】
すなわち、第１部分１９ａの根元側部分の幅（第１部分の最大幅）をＬａ、第１部分１９ａの第１切り欠き部１９ｃ形成部分における幅をＬｂ、第１部分１９ａの先端側部分の幅をＬａ′、第２部分１９ｂの幅（最大幅）をＬｃとすると、Ｌｃ＞Ｌａ＞Ｌａ′＞Ｌｂである。なお、Ｌａ＝Ｌａ′であってもよい。Ｌａは、キャップ１７の幅よりも小さい。Ｌｃは、キャップ１７の幅よりも大きくても小さくてもよいが、本実施形態では、キャップ１７の幅よりも小さい場合を例示している。
【００３４】
第２部分１９ｂのキャップ１７側の縁部には、第２切り欠き部１９ｄが形成されている。第２切り欠き部１９ｄは、第１部分１９ａに隣接して形成されており、第１部分１９ａの側方縁部と連続している。第２部分１９ｂの先端側は、徐々に幅が狭くなるように、台形状に形成されている。差込部１９には、幅方向中央に、差込部１９の延びる方向に延びるスリット１９ｅが形成されている。
【００３５】
図４（ｂ）は、筐体３の差込用開口部３３付近の内部を正面部３ａ側から見た図である。
【００３６】
筐体３の内部側には、差込用開口部３３に通じ、差込用開口部３３よりも幅広な拡幅部３５が形成されている。拡幅部３５の、幅方向の一方側（図４の紙面下方側）、且つ、筐体３内部側の位置には、拡幅部３５の幅を広げる凹部３５ａが形成されている。
【００３７】
すなわち、差込用開口部３３の幅（差込部の幅方向の径、本実施形態では差込用開口部３３の長手方向の径）をＬｄ、拡幅部３５の差込用開口部３３側部分（収容部３５ｂ）の幅をＬｅ、拡幅部３５の凹部３５ａ形成部分の幅をＬｆとすると、Ｌｆ＞Ｌｅ＞Ｌｄである。
【００３８】
差込用開口部３３の縁部には、筐体３の内部側に突出する突出部３７が、差込用開口部３３の幅方向両側に形成されている。なお、差込用開口部３３の縁部、突出部３７、及び、上述の拡幅部３５の壁部は、例えば、フロントケース５及び／又はリアケース７の内側面から突出するリブにより形成されている。
【００３９】
図５は、キャップ１７の着脱における差込部１９の作用を説明する図である。具体的には、図５（ａ）は、キャップ１７が凹部３１に取り付けられた状態においてキャップ部品１５及び筐体３の内部を正面部３ａ側から見た図である。図５（ｂ）は、キャップ１７が凹部３１から取り外された状態においてキャップ部品１５及び筐体３の内部を正面部３ａ側から見た図である。
【００４０】
図５（ａ）に示すように、キャップ１７が凹部３１に取り付けられている状態においては、差込部１９の大部分は拡幅部３５に収容されている。差込用開口部３３には、第１部分１９ａのうち第１切り欠き部１９ｃよりも根元側部分が位置している。換言すれば、第１切り欠き部１９ｃは、差込用開口部３３の縁部に対して筐体３の内部側に位置している。
【００４１】
図５（ｂ）に示すように、キャップ１７が凹部３１から取り外され、さらに、差込部１９が引き出されると、差込部１９の第２部分１９ｂが筐体３の差込用開口部３３縁部に対して、筐体３の内部側から外部側へ係合する。これにより、差込部１９の更なる引出が規制され、ひいては、キャップ１７の筐体３からの離脱が阻止される。
【００４２】
このとき、差込用開口部３３の縁部に形成された突出部３７は、差込部１９に形成された第２切り欠き部１９ｄに挿入される。２つの突出部３７は、２つの第２切り欠き部１９ｄの外側にそれぞれ当接しており、差込部１９の幅方向の移動を規制している。第２部分１９ｂは、拡幅部３５の収容部３５ｂに収まっている。差込用開口部３３には、第１部分１９ａのうち、第１切り欠き部１９ｃ形成部分と第１切り欠き部１９ｃよりも先端側の部分との境界部が位置している。換言すれば、第１切り欠き部１９ｃは、差込用開口部３３の縁部に対して筐体３の外部側に位置している。
【００４３】
第１部分１９ａが差込用開口部３３を差込方向及び引抜方向に移動可能である一方で、第２部分１９ｂは差込用開口部３３の縁部に係合することから明らかなように、Ｌｃ＞Ｌｄ＞Ｌａである。ただし、差込部１９の抜き差しにおけるガタを縮小する等の目的から、第１部分１９ａの根元側部分と、差込用開口部３３との隙間（Ｌｄ−Ｌａ）は比較的微小であることが好ましい。Ｌｄ＝Ｌａであってもよい。
【００４４】
第２部分１９ｂの幅Ｌｃと差込用開口部３３の幅Ｌｄとの差（Ｌｃ−Ｌｄ）は、差込用開口部３３の幅Ｌｄと、第１部分１９ａの幅Ｌａ′との差（Ｌｄ−Ｌａ′）よりも大きく設定されている。従って、第１部分１９ａが、差込用開口部３３に対して、第１部分１９ａと差込用開口部３３との隙間の大きさ（（Ｌｄ−Ｌａ′）／２）だけ幅方向に移動したとしても、第２部分１９ｂは、差込用開口部３３から抜けない。
【００４５】
第２部分１９ｂが収容部３５ｂに収容されることから明らかなように、Ｌｅ＞Ｌｃである。ただし、突出部３７が第２切り欠き部１９ｄから抜けたときに、収容部３５ｂにより第２部分１９ｂの幅方向の移動をある程度規制できるように、Ｌｅ−Ｌｃは比較的小さく設定されている。例えば、Ｌｅ−Ｌｃは、第２部分１９ｂの幅Ｌｃと差込用開口部３３の幅Ｌｄとの差（Ｌｃ−Ｌｄ）よりも小さく設定されている。なお、Ｌｅ＝Ｌｃであってもよい。すなわち、第２部分１９ｂは、収容部３５ｂに嵌合してもよい。
【００４６】
図６は、差込部１９を筐体３に取り付けるときにおける差込部１９の作用を説明する図である。差込部１９の取り付けは、図６（ａ）、図６（ｂ）、図６（ｃ）の順に進む。
【００４７】
図６（ａ）に示すように、差込部１９は、先端側（第２部分１９ｂ側）から、斜めに差込用開口部３３に挿入されていく。すなわち、第２部分１９ｂの２つの側方端部は、一方（図６の紙面下方側）の側方端部から差込用開口部３３に挿入される。
【００４８】
そして、図６（ｂ）に示すように、第２部分１９ｂの２つの側方端部のうち、一方（図６の紙面下方側の側方端部）が差込用開口部３３に挿入され、他方が差込用開口部３３に挿入されていない状態において、差込用開口部３３の一方側（図６の紙面下方側）の縁部（突出部３７含む）は、第１切り欠き部１９ｃに受け入れられる。これにより、差込部１９は、一方側（図６の紙面下方側）に移動し、第２部分１９ｂの他方側の側方端部は、差込用開口部３３を通過しやすくなる。
【００４９】
その後、図６（ｃ）に示すように、差込部１９は、差込用開口部３３の縁部を受け入れた第１切り欠き部１９ｃを支点として回転され、第２部分１９ｂの他方（図６の紙面上方）の側方端部は、差込用開口部３３を通過する。このとき、第２部分１９ｂの一方（図６の紙面下方）の側方端部は、凹部３５ａに収容されている。これにより、差込部１９を一方側（図６の紙面下方側）へ寄せるに際して、第２部分１９ｂの一方の側方端部が拡幅部３５の内壁に当接することが回避される。
【００５０】
第２部分１９ｂを差込用開口部３３に挿入した後は、図５（ａ）に示すように、差込部１９は、他方側（図６の紙面上方側）に寄せられる。なお、図６（ｂ）から図６（ｃ）への移行において、第２部分１９ｂの他方側（図６の紙面上方側）の側方端部は、差込用開口部３３の縁部に当接し、差込部１９は、弾性変形を生じる。ただし、第２部分１９ｂの他方側の側方端部が差込用開口部３３の縁部に当接しないように、Ｌｄ、Ｌｃ、Ｌｂが設定されていてもよい。
【００５１】
図７及び図８は、差込部１９を筐体３に取り付けるときにおけるキャップ１７の筐体３への干渉を説明する図である。図７は、キャップ１７付近の平面図であり、差込部１９の取り付けは、図７（ａ）、図７（ｂ）、図７（ｃ）、図７（ｄ）の順に進む。図８は、図７（ｂ）に対応する斜視図である。ただし、図８において、差込部１９やコネクタ２１の図示は省略されている。
【００５２】
図６を参照して説明したように、差込部１９は、差込用開口部３３に対して斜めに挿入されることから、キャップ１７の一方側（図６及び図７の紙面下方側、図８の紙面手前側）部分は、筐体３の側面部３ｃに当接することになる。また、差込部１９は、板状に形成されていることから、差込部１９の厚み方向に貫通する軸回りの曲げ変形は生じにくい。
【００５３】
従って、差込部１９を差込用開口部３３に挿入するためには、図７（ｂ）及び図８に示すように、差込部１９を捩り、キャップ１７を背面部３ｂに重ねるようにしなければならない。より詳細には、差込部１９を図６（ｂ）の状態とし、さらには、図６（ｂ）の状態から図６（ｃ）の状態へ移行させるためには、差込部１９を捩らなければならない。
【００５４】
そして、差込部１９を一旦筐体３に取り付けた後は、差込部１９を差込用開口部３３に対して斜めにするなどしても、キャップ１７が側面部３ｃに当接することにより、差込部１９を図６（ｃ）の状態とすること、さらには、図６（ｃ）の状態から図６（ｂ）の状態へ移行させることが阻止される。すなわち、差込部１９を捩らなければ、差込部１９を差込用開口部３３から引き抜くことはできない。
【００５５】
以上の実施形態によれば、携帯電話機１は、コネクタ用開口部２９及び差込用開口部３３が形成された筐体３と、筐体３への着脱によりコネクタ用開口部２９を開閉するキャップ１７、及び、キャップ１７から延びて差込用開口部３３に差し込まれており、コネクタ用開口部２９の開状態において筐体３に係止されてキャップ１７の筐体３からの離脱を阻止する差込部１９を有するキャップ部品１５と、を有し、差込部１９は、差込用開口部３３の幅Ｌｄよりも狭い所定の幅Ｌａ又はＬａ′で延び、キャップ１７の着脱に伴って差込用開口部３３を引抜方向及び差込方向に移動する第１部分１９ａと、第１部分１９ａよりも先端側に形成され、差込用開口部３３の幅Ｌｄよりも大きい幅Ｌｃを有し、コネクタ用開口部２９の開状態において差込用開口部３３の縁部に係合可能な第２部分１９ｂと、を有し、第１部分１９ａには、所定の幅Ｌａ又はＬａ′よりも幅が狭い部分が形成されるように第１切り欠き部１９ｃが形成されていることから、従来のキャップ部品とは異なる作用を奏するキャップ部品が提供され、技術の豊富化が図られる。つまり、取付容易であるにも関わらず、脱落を極力さけることのできる構造が提供される。
【００５６】
例えば、第１切り欠き部１９ｃが、差込用開口部３３の縁部を受け入れ可能な大きさの切り欠き部である場合には、図６（ｂ）及び図６（ｃ）を参照して説明したように、差込部１９を一方側（図６の紙面下方側）へ移動させて、第２部分１９ｂの他方側（図６の紙面上方側）の側方端部を差込用開口部３３に挿入しやすくしたり、第１切り欠き部１９ｃを回転の支点として利用したりすることが可能となる。
【００５７】
このような取り付けが可能となると、第２部分１９ｂを大きく弾性変形させなくても第２部分１９ｂを差込用開口部３３に挿入することが可能となる。従って、差込部１９として比較的剛性の高い材料を用いることが可能となり、第２部分１９ｂが差込用開口部３３から引き抜かれたり、差込部１９が破断したりすることが抑制される。
【００５８】
また、第１切り欠き部１９ｃが、差込用開口部３３の縁部を受け入れ可能な大きさでない場合であっても、例えば、差込部１９の曲げ剛性又は捩り剛性を局部的に低くし、キャップ１７の筐体３に対する種々の姿勢を実現することができる。
【００５９】
第２部分１９ｂの幅Ｌｃと差込用開口部３３の幅Ｌｄとの差（Ｌｃ−Ｌｄ）は、差込用開口部３３の幅Ｌｄと第１部分の所定の幅（Ｌａ又はＬａ′）との差（Ｌｄ−Ｌａ（Ｌａ′））よりも大きく、第１切り欠き部１９ｃは、第２部分１９ｂが差込用開口部３３の縁部に係合したときに差込用開口部３３の縁部に対してキャップ１７側となる位置、且つ、キャップ１７が筐体３に取り付けられてコネクタ用開口部２９が閉状態となったときに差込用開口部３３の縁部に対して第２部分１９ｂ側となる位置に設けられていることから、差込部１９が引き出された状態、及び、奥まで挿入されている状態においては、差込部１９は、差込用開口部３３に対して幅方向への移動が比較的規制される。その結果、差込部１９が無秩序に移動して着脱の操作性が損なわれたり、第２部分１９ｂが差込用開口部３３から抜けたりすることが抑制される。
【００６０】
筐体３内部には、第２部分１９ｂが差込用開口部３３の縁部に係合したときに第２部分１９ｂを収容可能な収容部３５ｂと、収容部３５ｂよりも筐体３の内部側に形成され、第１切り欠き部１９ｃに差込用開口部３３の縁部が受け入れられている状態において第２部分１９ｂを収容部３５ｂによる規制位置よりも幅方向外側へ移動可能に第２部分１９ｂを受け入れ可能な凹部３５ａとを有していることから、差込部１９の筐体３への取り付けにおいては、凹部３５ａにより第２部分１９ｂを受け入れて、差込部１９の幅方向への移動を許容することができる。その一方で、差込部１９が筐体３に取り付けられた後においては、収容部３５ｂにより差込部１９の幅方向の移動を規制して、差込部１９の無秩序な移動や第２部分１９ｂの差込用開口部３３からの抜けを抑制できる。
【００６１】
差込部１９は、差込部１９の差込方向及び幅方向に直交する方向に見て、差込方向に沿い、幅方向中央に位置する対称軸Ａｘに対して線対称に形成されていることから、構成が簡素である。また、第２部分１９ｂが差込用開口部３３の縁部に係合したときには、荷重が左右均等に加わることから、差込部１９の破損又は筐体３との係合が外れることが抑制される。
【００６２】
差込用開口部３３の縁部には、筐体３内側に突出する突出部３７が形成されており、第２部分１９ｂには、第２部分１９ｂが差込用開口部３３の縁部に係合しているときに、突出部３７が挿入される第２切り欠き部１９ｄが形成されていることから、差込部１９が引き出された状態における、差込部１９の差込用開口部３３に対する幅方向の移動が規制される。さらに、第２部分１９ｂと差込用開口部３３の縁部との係合が外れるためには、第２部分１９ｂの、第２切り欠き部１９ｄよりも外側部分が突出部３７を差込用開口部３３の中央側へ超えなければならないことから、第２部分１９ｂと差込用開口部３３の縁部との係合が外れることが確実に抑制される。
【００６３】
キャップ１７は、差込部１９よりも剛性の高い部材により形成されるとともに、第１切り欠き部１９ｃが差込用開口部３３の縁部を受け入れた状態で、差込部１９が第１切り欠き部１９ｃを支点として回転することにより第２部分１９ｂの支点とは反対側の幅方向端部が差込用開口部３３を通過するときに、差込部１９を捩らなければ筐体３のコネクタ用開口部２９が形成された側面部３ｃに当接する大きさに形成されていることから、差込部１９を筐体３から取り外すためには、差込部１９を捩らなければならない。その結果、差込部１９や筐体３の内部の構造を知っている作業者においては、差込部１９を捩り、第１切り欠き部１９ｃを利用して簡単に差込部１９を筐体３に取り付けることができる一方で、差込部１９や筐体３の内部の構造を知らないユーザによって偶然に差込部１９が取り外されることが抑制される。
【００６４】
なお、以上の実施形態において、携帯電話機１は本発明の携帯電子機器の一例であり、コネクタ用開口部２９は本発明の第１開口部の一例であり、差込用開口部３３は本発明の第２開口部の一例である。
【００６５】
本発明は、以上の実施形態に限定されず、種々の態様で実施されてよい。
【００６６】
携帯電子機器は、携帯電話機に限定されない。例えば、携帯電子機器は、デジタルカメラ、ＰＤＡ、ゲーム機であってもよい。また、筐体は、ストレートタイプのものや薄型直方体状のものに限定されない。例えば、筐体は、いわゆる折り畳み式の筐体やスライド式の筐体のように、２以上の筐体を含んで構成される筐体であってもよいし、平面形状が楕円のものであってもよいし、立方体のように薄型でないものであってもよい。
【００６７】
第１開口部（実施形態ではコネクタ用開口部２９）は、コネクタを露出させるものに限定されない。例えば、メモリカードが挿入される開口部であってもよい。また、第１開口部は、薄型筐体の側面部に形成されるものに限定されない。例えば、実施形態において、筐体３の長手方向の端面において開口するものであってもよい。
【００６８】
第２開口部は、第１開口部に対して適宜な位置に配置されてよい。ただし、キャップにより塞がれる位置（実施形態では凹部３１の底面及び内周面）に形成されることが好ましい。第２開口部は、第１開口部と同一方向に開口するものに限定されない。例えば、第２開口部は、実施形態において、凹部３１の内周面において開口するもの（第１開口部の開口方向に直交する方向を開口方向とする開口部）であってもよい。第２開口部は、スリット状のものに限定されず、例えば、円形や正方形であってもよい。第２開口部がスリット状（差込部が板状）である場合、スリットは、その長手方向を筐体の長手方向や第１開口部の長手方向に対して一致させるように配置されるものに限定されない。例えば、実施形態において、差込用開口部３３は、筐体３の厚み方向を長手方向とするスリットであってもよい。
【００６９】
第１切り欠き部は、第２開口部の縁部を受け入れ可能な大きさでなくてもよい。第１切り欠き部は、第２開口部の縁部を受け入れ可能でなくても、例えば、差込部の適宜な位置の曲げ剛性や捩り剛性を任意の大きさにしたり、第１切り欠き部に筐体の適宜な部位を引掛けて、差込部を回転させて取り付ける目安にしたりすることができるという効果を奏する。
【００７０】
第１部分の第１切り欠き部が形成される部分以外の所定の幅は、一定であってもよいし、一定でなくてもよい。所定の幅は、一定でない場合には、実施形態のように、複数（実施形態では２つ）の一定の幅を含むものであってもよいし、連続的に変化するものであってもよい。
【００７１】
第２部分の幅と第２開口部の幅との差（実施形態ではＬｃ−Ｌｄ）は、第２開口部の幅と第１部分の所定の幅との差（実施形態ではＬｄ−Ｌａ）よりも大きくなくてもよい。また、第１切り欠き部は、第２部分が第２開口部の縁部に係合したときに第２開口部の縁部に対してキャップ側となる位置、又は、キャップが筐体に取り付けられて第１開口部が閉状態となったときに第２開口部の縁部に対して第２部分側となる位置に設けられていなくてもよい。この場合であっても、上述の剛性のコントロールの効果等を奏することに変わりはない。また、第１部分の第２開口部に対する幅方向の位置規制や第２部分の第２開口部からの抜け防止は、他の方法によっても可能である。例えば、実施形態では、キャップ１７と凹部３１との嵌合、突出部３７と第２切り欠き部１９ｄとの嵌合、第２部分１９ｂの収容部３５ｂへの収納によっても、第１部分の第２開口部に対する幅方向の位置は規制されているし、第２部分が第２開口部から抜けることが抑制されている。同様に、収容部、並びに、突出部及び第２切り欠き部の組み合わせは、本願発明の必須要件ではない。
【００７２】
差込部は、線対称に形成されていなくてもよい。例えば、第１切り欠き部は、２つの側方縁部のうち、一方にのみ設けられてもよい。この場合、差込部の単純な引張り剛性は向上する。
【図面の簡単な説明】
【００７３】
【図１】本発明の実施形態に係る携帯電話機の外観斜視図。
【図２】図１の携帯電話機のキャップ付近を示す斜視図。
【図３】図２と同一部分における分解斜視図。
【図４】図２のキャップ部品及び筐体内部の構造を示す図。
【図５】図４のキャップ部品のキャップ着脱における作用を説明する図。
【図６】図４のキャップ部品の差込部の取り付けにおける作用を説明する図。
【図７】図４のキャップ部品の差込部の取り付けにおけるキャップの干渉を説明する平面図。
【図８】図４のキャップ部品の差込部の取り付けにおけるキャップの干渉を説明する斜視図。
【符号の説明】
【００７４】
１…携帯電話機（携帯電子機器）、３…筐体、１５…キャップ部品、１７…キャップ、１９…差込部、１９ａ…第１部分、１９ｂ…第２部分、１９ｃ…第１切り欠き部、２９…コネクタ用開口部（第１開口部）、３３…差込用開口部（第２開口部）。
【図１】
2009289591.tif 000003
【図２】
2009289591.tif 000004
【図３】
2009289591.tif 000005
【図４】
2009289591.tif 000006
【図５】
2009289591.tif 000007
【図６】
2009289591.tif 000008
【図７】
2009289591.tif 000009
【図８】
2009289591.tif 000010